(57)【要約】【課題】本発明によれば、カメラボディを小型化することができる。【解決手段】カメラボディ２００は、アクセサリが着脱可能に装着されるカメラボディであって、カメラボディのケース２５０の前面２０１に設けられた開口部２１０の外周側に設けられ、アクセサリが着脱可能に装着されるボディ側マウント部２２０と、カメラボディ２００の前面２０１に筒状に突設し、筒壁の外周に沿うように第１溝部２７０が設けられた保持部２３０と、保持部２３０の第１溝部２７０に保持される第１Ｏリング２４０と、を備え、保持部２３０は、ボディ側マウント部２２０の外周側に設けられ、第１Ｏリング２４０は、アクセサリがボディ側マウント部２２０に装着されたとき、アクセサリによって保持部２３０よりもさらに外周側から圧縮される。【選択図】図２
2019035974.tif 000002
【特許請求の範囲】
【請求項１】
交換レンズが着脱可能に装着されるカメラボディであって、
開口部を有する本体部と、
前記開口部を囲んで前記本体部に設けられた突出部と、
前記突出部に設けられ、前記交換レンズが装着されるマウント部と、
前記突出部の外周に設けられた溝部と、
前記溝部に保持されるＯリングと、
前記溝部に保持される前記Ｏリングを覆う保護カバーと、を備えるカメラボディ。
【請求項２】
請求項１に記載のカメラボディにおいて、
前記溝部に保持される前記Ｏリングが前記保護カバーによって覆われない状態で、前記マウント部に第１の交換レンズが装着され、
前記第１の交換レンズは、前記マウント部に装着された状態で、前記溝部に保持される前記Ｏリングと密着する密着部を有するカメラボディ。
【請求項３】
請求項２に記載のカメラボディにおいて、
前記保護カバーが前記溝部に保持される前記Ｏリングを覆った状態で、前記マウント部に前記第１の交換レンズと異なる第２の交換レンズが装着されるカメラボディ。
【請求項４】
請求項１から３のいずれか一項に記載のカメラボディにおいて、
前記保護カバーは、
前記溝部に掛り止まる掛止部と、
前記掛止部が前記溝部に掛っている状態で前記Ｏリングを圧縮する圧縮部と、
を有するカメラボディ。
【請求項５】
請求項１から４のいずれか一項に記載のカメラボディにおいて、
前記保護カバーは、
前記Ｏリングを保護する第１部材と、
前記第１部材に固着され、前記第１部材を外部から隠す第２部材と、
を有し、
前記第１部材は、前記第２部材が前記突出部と接触することを防ぐ緩衝部を有するカメラボディ。
【発明の詳細な説明】
【技術分野】
【０００１】
本発明は、カメラボディに関する。
【背景技術】
【０００２】
カメラボディに交換レンズが着脱可能に装着されるレンズ交換式の防水カメラシステムにおいて、交換レンズの外周に沿って溝部を設け、その溝部によりＯリングを保持するカメラシステムが知られている（特許文献１）。
【先行技術文献】
【特許文献】
【０００３】
【特許文献１】特開平６−２９４９９４号公報
【発明の概要】
【発明が解決しようとする課題】
【０００４】
特許文献１に記載のような構成においては、カメラボディに交換レンズを装着しない状態ではＯリングが外部に露出するため、防水性能が劣化するおそれがある。
【課題を解決するための手段】
【０００５】
本発明の一態様によるカメラボディは、交換レンズが着脱可能に装着されるカメラボディであって、開口部を有する本体部と、前記開口部を囲んで前記本体部に設けられた突出部と、前記突出部に設けられ、前記交換レンズが装着されるマウント部と、前記突出部の外周に設けられた溝部と、前記溝部に保持されるＯリングと、前記溝部に保持される前記Ｏリングを覆う保護カバーと、を備える。
【発明の効果】
【０００６】
本発明によれば、カメラボディを小型化することができる。
【図面の簡単な説明】
【０００７】
【図１】本発明の一実施の形態によるカメラボディの概略正面図である。
【図２】本発明の一実施の形態によるカメラボディの断面図である。
【図３】（ａ）本発明の一実施の形態によるカメラボディに備わる保持部の断面図である。（ｂ）保持部に設けられた二つの溝の溝底の径を異ならせた状態を示す図である。
【図４】（ａ）本発明の一実施の形態による交換レンズの側面図である。（ｂ）本発明の一実施の形態による交換レンズの平面図である。
【図５】本発明の一実施の形態によるカメラボディに本発明の別の態様による交換レンズが装着された状態を示す図である。
【図６】（ａ）従来のカメラボディと従来の交換レンズの断面図である。（ｂ）従来のカメラボディに交換レンズが装着された状態を示す図である。
【図７】本発明の一実施の形態によるカメラボディに従来の交換レンズが装着された状態を示す図である。
【図８】本発明の一実施の形態によるカメラボディに本発明の別の態様による保護カバーが装着された状態を示す図である。
【図９】カメラボディに装着された保護カバーの拡大断面図である。
【図１０】（ａ）本発明の一実施の形態による保護カバーの正面図である。（ｂ）本発明の一実施の形態による保護カバーの背面図である。
【図１１】本発明の一実施の形態による保護カバーの斜視図である。
【図１２】本発明の一実施の形態によるカメラボディに本発明の別の態様による保護カバーが装着された状態を示す図である。
【発明を実施するための形態】
【０００８】
図１は、本発明の一実施の形態によるカメラボディの概略正面図である。図１に図示されたカメラボディ２００は、レンズ交換式のカメラシステムに用いられ、後述する交換レンズなどのアクセサリが着脱可能に装着される。
【０００９】
カメラボディ２００は、被写体からの光束が通過する開口部２１０を有し、その開口部２１０の外側にボディ側マウント部２２０が設けられている。さらに、ボディ側マウント部２２０の外側には保持部２３０が設けられている。ボディ側マウント部２２０と保持部２３０は、互いに隙間無く密着している。また、ボディ側マウント部２２０と保持部２３０は、カメラボディ２００の前面２０１から紙面垂直方向に突出しており、筒状の形態を有する。ボディ側マウント部２２０には、アクセサリが着脱可能に装着される。保持部２３０は、その外周に沿うように第１Ｏリング２４０を保持している。第１Ｏリング２４０は、ゴム等の弾性材料で形成されている。
【００１０】
図２は、カメラボディ２００の断面図である。図２には、カメラボディ２００のＡ−Ａ断面のうち、前面２０１の近傍のみが模式的に図示されている。図２では、保持部２３０がカメラボディ２００のケース２５０の前面２０１から突設している。カメラボディ２００は、保持部２３０に密着した状態でカメラボディ２００のケース２５０の前面２０１から突設している支持部２２１をさらに備える。ボディ側マウント部２２０は、支持部２２１の先端に固着しており、カメラボディ２００のケース２５０の前面２０１から突出した位置に支持されている。
【００１１】
ボディ側マウント部２２０は、その先端に取り付け面２２２を有し、その取り付け面２２２にはアクセサリが装着される。保持部２３０は、その先端がボディ側マウント部２２０の取り付け面２２２から突出しないように設けられている。図２では、保持部２３０の先端がボディ側マウント部２２０の取り付け面２２２と面一になっている。
【００１２】
支持部２２１には、保持部２３０がネジ、ボルト、リベット等の固定部材２６０により固定されている。支持部２２１と保持部２３０は、ネジ、ボルト、リベット等の固定部材２６０によりケース２５０に固定されている。なお、図２には、支持部２２１と保持部２３０とを固定するための固定部材２６０が２個、支持部２２１とケース２５０とを固定するための固定部材２６０が２個図示されているが、これらはあくまで例示であって、固定部材２６０の個数、位置、長さを図示のとおりに限定するものではない。
【００１３】
保持部２３０には、外周側に第１溝部２７０と第２溝部２８０とが設けられている。第１溝部２７０と第２溝部２８０は、保持部２３０の側壁２３１に沿って１周設けられている。第１溝部２７０の内側には第１Ｏリング２４０が保持されており、第２溝部２８０の内側には第２Ｏリング２９０が保持されている。この第２Ｏリング２９０は、ゴム等の弾性材料で形成されている。第２Ｏリング２９０は、第２溝部２８０の溝底とケース２５０との間で圧縮されて、第２溝部２８０の溝底とケース２５０とに密着している。圧縮された第２Ｏリング２９０は、保持部２３０とケース２５０との隙間２１１からカメラボディ２００の内部に水や砂塵などの異物が浸入することを防ぐ。
【００１４】
図３（ａ）は、カメラボディ２００の保持部２３０の断面図である。図３（ａ）には、保持部２３０の第１溝部２７０の溝底に接する仮想的な第１の円筒３００と、第２溝部２８０の溝底に接する仮想的な第２の円筒３１０とが図示されている。第１の円筒３００と第２の円筒３１０とは同心である。また、第１の円筒３００と第２の円筒３１０の直径は等しい。すなわち、第１溝部２７０の溝底の径と第２溝部２８０の溝底の径が同一である。第１溝部２７０の溝底の径と第２溝部２８０の溝底の径とが異なると、図３（ｂ）に示す保持部３３０のように形状が複雑になり、成形が困難になると共に、その厚さｔが大きくなってしまう。
【００１５】
図４（ａ）は、本発明の一実施の形態による交換レンズの概略側面図である。図４（ｂ）は、図４（ａ）に示した交換レンズ１００を矢印Ｂが示す方向から見た平面図である。交換レンズ１００は、図１に示したカメラボディ２００のボディ側マウント部２２０に着脱可能に装着されるアクセサリの１種である。
【００１６】
交換レンズ１００は、レンズなどの光学系１１０を少なくとも一つ内蔵している。交換レンズ１００は、撮影時に被写体に向けられる第１面１２０に対向する第２面１３０にレンズ側マウント部１４０を備える。このレンズ側マウント部１４０は、図１に示したカメラボディ２００のボディ側マウント部２２０に着脱可能に装着される。
【００１７】
交換レンズ１００は、レンズ側マウント部１４０よりも外側から筒状に突設する突設部１５０を有し、突設部１５０がレンズ側マウント部１４０を囲っている。換言すると、交換レンズ１００には、第２面１３０と突設部１５０とにより凹部１６０が形成され、その凹部１６０の底面にあたる第２面１３０にレンズ側マウント部１４０が設けられている。
【００１８】
交換レンズ１００は、その側面１７０と光学系１１０との間に所定距離Ｌのクリアランスが確保されており、耐衝撃性などの耐環境性が確保されている。
【００１９】
図５は、本発明の一実施の形態によるカメラシステムの一構成例を示す図である。図５に示されるカメラシステム１は、交換レンズ１００とカメラボディ２００とを備え、交換レンズ１００がカメラボディ２００に装着されている。なお、図５では、図の視認性を向上させるため、交換レンズ１００の凹部１６０で隠れた部位も実線で示されている。
【００２０】
図５では、カメラボディ２００のケース２５０の前面２０１から突出した保持部２３０の一部とボディ側マウント部２２０とが交換レンズ１００の凹部１６０の内側に収納されて、レンズ側マウント部１４０がボディ側マウント部２２０に装着されている。
【００２１】
カメラボディ２００の第１溝部２７０に保持されている第１Ｏリング２４０は、突設部１５０の内周と第１溝部２７０の溝底との間で圧縮されて、突設部１５０の内周と第１溝部２７０の溝底とに密着している。このようにすることで、カメラボディ２００の保持部２３０と交換レンズ１００の突設部１５０との隙間から開口部２１０への水や砂塵等の異物の浸入を防ぐことができる。
【００２２】
図６（ａ）および（ｂ）は、防水性を有するレンズ交換式カメラシステムの従来例を示す図である。図６（ａ）および（ｂ）には、交換レンズ４００とカメラボディ５００の断面図が図示されている。
【００２３】
交換レンズ４００は、本実施の形態の突設部１５０に相当する部位を備えておらず、本実施の形態の第１Ｏリング２４０に相当する第３Ｏリング４１０を第３溝部４２０で保持している点が本実施の形態の交換レンズ１００と異なる。
【００２４】
カメラボディ５００は、本実施の形態の第１溝部２７０と第１Ｏリング２４０に相当する部位を備えておらず、本実施の形態の突設部１５０に相当する突設部５１０を有する防水構造５２０を備える点が本実施の形態のカメラボディ２００と異なる。突設部５１０は、本実施の形態の突設部１５０と同様に筒状の形状を有する。
【００２５】
従来の交換レンズ４００も本実施の形態の交換レンズ１００と同様にレンズ側マウント部１４０を備える。また、従来のカメラボディ５００も本実施の形態のカメラボディ２００と同様にボディ側マウント部２２０を備える。図６（ｂ）は、交換レンズ４００のレンズ側マウント部１４０がカメラボディ５００のボディ側マウント部２２０に装着された状態を示す。図６（ｂ）では、交換レンズ４００が突設部５１０の内側に挿入されており、第３Ｏリング４１０が第３溝部４２０の溝底と突設部５１０との間で圧縮されている。圧縮された第３Ｏリング４１０は、第３溝部４２０の溝底と突設部５１０に密着することにより、開口部２１０への水や砂塵などの浸入を防ぐ。
【００２６】
このような交換レンズ４００において、耐衝撃性能を確保するために交換レンズ４００の側面４３０と光学系１１０との間に所定距離Ｌのクリアランスを確保しようとすると、第３溝部４２０の溝底と光学系１１０とを所定距離Ｌ以上離さなくてはならなかった。図４に示した本実施の形態の交換レンズ１００は、第３溝部４２０を備えないため、少なくとも第３溝部４２０の深さ分だけ小さくすることができる。
【００２７】
また、図６に示したカメラボディ５００の防水構造５２０は、突設部５１０の内側に交換レンズ４００が挿入することができる程度の大きさを有している。図２に示した保持部２３０によるカメラボディ２００の防水構造は、図４に示した交換レンズ１００の突設部１５０の内側に挿入することができる程度の大きさである。交換レンズ１００が交換レンズ４００よりも小型であることから、本実施の形態のカメラボディ２００の防水構造は、従来のカメラボディ５００の防水構造よりも小型である。したがって、本実施の形態のカメラボディ２００は、従来のカメラボディ５００よりも小型化することができる。
【００２８】
図７は、本実施の形態のカメラボディ２００に従来の交換レンズ４００を装着した状態を示している。前述したように、カメラボディ２００の保持部２３０は、ボディ側マウント部２２０の取り付け面２２２から突出しないように設けられているため、部品同士が互いに干渉することなくカメラボディ２００のボディ側マウント部２２０に交換レンズ４００のレンズ側マウント部１４０を装着することができる。
【００２９】
（保護カバー）
図２および図７を見て明らかなように、カメラボディ２００に交換レンズ１００が装着されていない場合や、カメラボディ２００に従来の交換レンズ４００が装着されている場合、第１Ｏリング２４０は外部に露出している。第１Ｏリング２４０が露出した状態では、持ち運び時などに傷ついて防水性能が劣化するおそれがある。カメラシステム１では、交換レンズ１００を未装着状態のカメラボディ２００に対して、第１Ｏリングを保護するための保護カバーを装着することができる。
【００３０】
図８は、第１Ｏリング２４０を保護するための保護カバー６００をカメラボディ２００に装着した状態を示す。保護カバー６００は、ボディ側マウント部２２０の取り付け面２２２から突出しないように設けられており、第１Ｏリング２４０と第１溝部２７０とが外部に露出しないように覆い隠している。
【００３１】
図９は、図８の部分拡大図であって、保護カバー６００周辺を拡大した図である。保護カバー６００は、第１カバー６０１と第２カバー６０２とを備え、第１カバー６０１に第２カバーが固着している。第１カバー６０１と第２カバー６０２の境界は、接着面を広く確保するために階段形の形状を有している。
【００３２】
第１カバー６０１は、ゴムなどの弾性部材で形成されており、掛止部６１０と緩衝部６２０とを備える。掛止部６１０は、カメラボディ２００の第１溝部２７０の開口部に掛る。緩衝部６２０は、第２カバー６０２がカメラボディ２００のケース２５０に接触しないようにするためのスペーサとして機能する。
【００３３】
第１カバー６０１の掛止部６１０が第１溝部２７０の開口部に掛ると、第１カバー６０１の接触面６３０が第１Ｏリング２４０に接触して、第１Ｏリング２４０が第１溝部２７０の溝底と接触面６３０との間で圧縮される。このとき、第１カバー６０１は、第１Ｏリング２４０から加えられる力により支持されるため、ガタつきが発生しない。また、掛止部６１０は、接触面６３０から突出しており、掛止部６１０が第１溝部２７０の開口部に掛り止められているとき、第１溝部２７０の溝壁に接する平行面６１１は溝壁に平行となっている。また、掛止部６１０は、接触面６３０と掛止部６１０の平行面６１１との間に傾斜面６１２を有している。
【００３４】
保護カバー６００の装着がスムーズに行われるようにするため、保護カバー６００は、緩衝部６２０と接触面６３０との間に切欠き部６４０を有しており、第１カバー６０１の緩衝部６２０の近傍が第１溝部２７０の開口部に掛らないようになっている。
【００３５】
第２カバー６０２は、プラスティックなどの材料で形成されており、第１カバー６０１が鋭利な物体により傷付けられることを防ぐ。また、第２カバー６０２は、保護カバー６００の装着状態において外部に露出する化粧面６５０を有する。化粧面６５０には、所定の文字、記号、標章を印刷したり、視覚を通じて美観を起こさせるような形状、模様もしくは色彩またはそれらが結合された装飾を施したりすることができる。カメラボディ２００は、化粧面６５０に装飾を有する保護カバー６００を装着することによって、第１Ｏリング２４０が外部に露出した状態よりも美観を向上させることができる。
【００３６】
図１０（ａ）および（ｂ）は、保護カバー６００の正面図と背面図である。図１１は、保護カバー６００の斜視図である。図１０（ａ）と図１１を見て明らかなように、第１カバー６０１の掛止部６１０は、第１カバー６０１の内周の一部にのみ設けられている。掛止部６１０を第１カバー６０１の内周全体に設けないことにより、保護カバー６００をカメラボディ２００に装着することが容易となる。また、図１０（ａ）と図１１を見て明らかなように、緩衝部６２０も、第１カバー６０１の内周の一部にのみ設けられている。
【００３７】
カメラボディ２００への交換レンズ１００や保護カバー６００の脱着動作について説明する。ユーザは、図２の状態のカメラボディ２００に交換レンズ１００を装着する際、カメラボディ２００の保持部２３０を交換レンズ１００の凹部１６０に挿入する。カメラボディ２００の第１Ｏリング２４０が交換レンズ１００の凹部１６０に挿入されると、交換レンズ１００の突設部１５０の内周によりカメラボディ２００の第１Ｏリング２４０が押し潰されて、保持部２３０を凹部１６０のより深くまで挿入できるようになる。カメラボディ２００のボディ側マウント部２２０の取り付け面２２２が交換レンズ１００のレンズ側マウント部１４０に到達すると、所定操作によりレンズ側マウント部１４０がボディ側マウント部２２０に装着される。カメラボディ２００から交換レンズ１００を取り外す際は、その逆の工程を行う。第１Ｏリング２４０が凹部１６０から取り出されると、弾性力により第１Ｏリング２４０が元の形状に戻る。
【００３８】
ユーザは、交換レンズ１００が装着されていないカメラボディ２００に保護カバー６００を装着する際、保護カバー６００の開口部にカメラボディ２００の保持部２３０を通すように、図１０（ｂ）に示した保護カバー６００の背面側からカメラボディ２００の保持部２３０を挿入する。保持部２３０が保護カバー６００の掛止部６１０の傾斜面６１２に接触すると、第１カバー６０１が弾性変形して、保持部２３０がより奥まで挿入できるようになる。保護カバー６００の掛止部６１０が第１溝部２７０の位置になるまで保持部２３０が挿入されると、掛止部６１０が弾性力により元の形状に戻り、第１溝部２７０に掛止部６１０の平行面６１１が掛る。さらに保持部２３０が挿入されると、カメラボディ２００のケース２５０の前面２０１に保護カバー６００の緩衝部６２０が接触する。カメラボディ２００から保護カバー６００を取り外す際は、その逆の工程を行う。
【００３９】
以上で説明した実施の形態によれば、以下の作用効果が得られる。
カメラシステム１は、カメラボディ２００と、カメラボディ２００のケース２５０の前面２０１に着脱可能に装着される交換レンズ１００とを備える。
カメラボディ２００は、ボディ側マウント部２２０と保持部２３０と第１Ｏリング２４０とを備える。ボディ側マウント部２２０は、カメラボディ２００のケース２５０の前面２０１に設けられた開口部２１０の外周側に設けられ、交換レンズ１００が着脱可能に装着される。保持部２３０は、カメラボディ２００の前面２０１に筒状に突設しており、筒壁の外周に沿うように第１溝部２７０が設けられている。第１Ｏリング２４０は、保持部２３０の第１溝部２７０に保持されている。
交換レンズ１００は、カメラボディ２００に着脱可能に装着されるアクセサリの１種であって、レンズ側マウント部１４０と突設部１５０とを備える。レンズ側マウント部１４０は、ボディ側マウント部２２０に着脱可能に装着される。突設部１５０は、レンズ側マウント部１４０の外側に筒状に突設している。
保持部２３０は、ボディ側マウント部２２０の外周側に設けられる。
突設部１５０は、レンズ側マウント部１４０がボディ側マウント部２２０に装着されたとき、保持部２３０よりさらに外周側に位置する。
第１Ｏリング２４０は、レンズ側マウント部１４０がボディ側マウント部２２０に装着されたとき、突設部１５０により圧縮される。
カメラシステム１では、従来のように交換レンズ１００側に第３Ｏリング４２０を設けず、カメラボディ２００側に第１Ｏリング２４０を設けるようにしたので、交換レンズ１００は第３溝部４１０の深さ分だけ従来の交換レンズ４００よりも小型にすることができる。そして、カメラボディ２００の保持部２３０の外周側が交換レンズ１００の突設部１５０の内周側に接触するようにしていることから、第３Ｏリング４２０の外側から接触していたカメラボディ５００よりも防水構造を小型にすることができる。カメラボディ２００の防水構造を従来のカメラボディ５００よりも小型化することができることからカメラボディ２００全体を従来よりも小型化することができる。
【００４０】
以上で説明した実施形態は、以下のように変形して実施できる。
〔変形例１〕本発明の一実施の形態によるアクセサリには、交換レンズ１００以外のアクセサリも含まれる。たとえば、交換レンズ１００とカメラボディ２００との間に挿入可能な中間アダプタなどもアクセサリの中に含まれる。
〔変形例２〕保護カバー６００の断面形状は、図９に示した形状だけに限定しない。たとえば、図１２に示すような形状でもよい。図１２に図示された保護カバー７００は、第２カバー６０２と第３カバー７０１とを備える。第３カバー７０１は、カメラボディ２００の第１溝部２７０の開口部に掛る掛止部７１０と、緩衝部６２０とを備える。掛止部７１０は、図９の掛止部６１０よりも長く、第１Ｏリング２４０に接触する接触面７１１を有する。第１Ｏリング２４０は、接触面７１１と第１溝部２７０の溝壁とによって圧縮される。保護カバー７００は、掛止部７１０が第１Ｏリング２４０から受ける圧力によりガタつかない。
〔変形例３〕カメラボディ２００は、保持部２３０および支持部２２１をケース２５０と一体となるように成形してもよい。保持部２３０および支持部２２１をケース２５０と一体成型した場合、カメラボディ２００は、第２Ｏリング２９０を省略することができる。
【００４１】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００４２】
１  カメラシステム、１００  交換レンズ、１４０  レンズ側マウント部、１５０  突設部、１６０  凹部、１７０  側面、２００  カメラボディ、２１０  開口部、２２０  ボディ側マウント部、２２１  支持部、２３０  保持部、２４０  第１Ｏリング、２５０  ケース、２７０  第１溝部、２８０  第２溝部、２９０  第２Ｏリング、３００  第１の円筒、３１０  第２の円筒、６００，７００  保護カバー、６０１  第１カバー、６０２  第２カバー、６１０，７１０  掛止部、６２０  緩衝部、６３０  接触面
【図１】
2019035974.tif 000003
【図２】
2019035974.tif 000004
【図３】
2019035974.tif 000005
【図４】
2019035974.tif 000006
【図５】
2019035974.tif 000007
【図６】
2019035974.tif 000008
【図７】
2019035974.tif 000009
【図８】
2019035974.tif 000010
【図９】
2019035974.tif 000011
【図１０】
2019035974.tif 000012
【図１１】
2019035974.tif 000013
【図１２】
2019035974.tif 000014